(57)【要約】【課題】ＲＦＩＤタグの故障を防ぐことができる携帯工具を提供すること。【解決手段】携帯工具において、駆動源であるモータ３を内装して成るハウジング２の近傍に、ＲＦＩＤタグ７又はＲＦＩＤタグクミ８を装着する。前記ＲＦＩＤタグクミ８は、前記ＲＦＩＤタグ７を樹脂モールド材、弾性体等から成る外装材で外装して構成される。ＲＦＩＤタグ７又はＲＦＩＤタグクミ８の固定方法として、ハウジング２の内側に形成された凹部又は挿入領域にＲＦＩＤタグ７又はＲＦＩＤタグクミ８を取り付ける方法、ハウジング２の外側に形成された凹部内にＲＦＩＤタグ７を取り付ける方法等が採用される。【選択図】図１
2006142402.tif 000002
【特許請求の範囲】
【請求項１】
駆動源であるモータを内装して成るハウジングの近傍に、ＲＦＩＤタグ又はＲＦＩＤタグクミを装着したことを特徴とする携帯工具。
【請求項２】
前記ＲＦＩＤタグクミは、前記ＲＦＩＤタグを樹脂モールド材、弾性体等から成る外装材で外装して構成されることを特徴とする請求項１記載の携帯工具。
【請求項３】
ハウジングの内側に前記ＲＦＩＤタグ又は前記ＲＦＩＤタグクミを収納可能な凹部又は挿入領域を形成し、該凹部又は挿入領域に前記ＲＦＩＤタグ又は前記ＲＦＩＤタグクミを取り付けたことを特徴とする請求項１又は２記載の携帯工具。
【請求項４】
ハウジングの外側に前記ＲＦＩＤタグを収納可能な凹部を形成し、該凹部内に前記ＲＦＩＤタグを取り付けたことを特徴とする請求項１又は２記載の携帯工具。
【発明の詳細な説明】
【技術分野】
【０００１】
本発明は、電磁波やマイクロ波にて通信可能なＲＦＩＤタグが付けられた携帯工具に関するものである。ここで、携帯工具としては、電池で駆動されるドライバドリル、インパクトドリル、ハンマ等のコードレス工具、商用電源で駆動される電気ドリル、電気ハンマ、電気ディスクグラインダ等の電動工具、空気で駆動される釘打機、タッカ等の空気工具等がが挙げられる。
【背景技術】
【０００２】
従来から、外部処理装置との通信を非接触で行う非接触ＩＣ記憶媒体として、例えば非接触型のＲＦＩＤタグが一般に知られている。この種のＲＦＩＤタグは、アンテナと送受信部及びメモリから成るＩＣチップを備えるもので、リーダ／ライタ側のアンテナから発生した電波によってＲＦＩＤタグに電力が生じ、その電力を利用してＲＦＩＤタグのメモリに記憶している情報をリーダ／ライタ側のアンテナに送り、或はリーダ／ライタ側からＲＦＩＤタグに情報を送りメモリに記憶させることができるよう構成されている。
【０００３】
而して、上記ＲＦＩＤタグを携帯工具に付けることにより、該ＲＦＩＤタグに製造工場、製造年月日、機種名、販売店等の基本的情報並びに保守等の物流情報を記憶させ、販売保守情報管理等を行うことができる。
【０００４】
【特許文献１】特表２００２−５３６７２６号公報
【発明の開示】
【発明が解決しようとする課題】
【０００５】
ところで、携帯工具は切削、切断、締付け、穴あけ等の作業を行う携帯用ツールとして、建設や建築現場をはじめとして、工場、ＤＩＹ等において幅広く使用されている。
【０００６】
しかし、携帯工具は携帯用であるが故に地面に落とされたり、乱雑に扱われたりするため、そのハウジングの表面には異常な力が掛かる。このため、携帯工具のハウジングの外側にＲＦＩＤタグを単に貼り付けるだけでは、該ＲＦＩＤタグを構成するアンテナやＩＣチップ等を傷付け或は壊し、ＲＦＩＤタグの故障を発生させる要因となる。
【０００７】
一方、実作業時の携帯工具の振動は非常に大きなものとなるため、振動によってもＲＦＩＤタグの故障を発生させる要因となる。
【０００８】
本発明の上記問題に鑑みてなされたもで、その目的とする処は、ＲＦＩＤタグの故障を防ぐことができる携帯工具を提供することにある。
【課題を解決するための手段】
【０００９】
上記目的を達成するため、請求項１記載の発明は、携帯工具において、駆動源であるモータを内装して成るハウジングの近傍に、ＲＦＩＤタグ又はＲＦＩＤタグクミを装着したことを特徴とする。
【００１０】
請求項２記載の発明は、請求項１記載の発明において、前記ＲＦＩＤタグクミは、前記ＲＦＩＤタグを樹脂モールド材、弾性体等から成る外装材で外装して構成されることを特徴とする。
【００１１】
請求項３記載の発明は、請求項１又は２記載の発明において、ハウジングの内側に前記ＲＦＩＤタグ又は前記ＲＦＩＤタグクミを収納可能な凹部又は挿入領域を形成し、該凹部又は挿入領域に前記ＲＦＩＤタグ又は前記ＲＦＩＤタグクミを取り付けたことを特徴とする。
【００１２】
請求項４記載の発明は、請求項１又は２記載の発明において、ハウジングの外側に前記ＲＦＩＤタグを収納可能な凹部を形成し、該凹部内に前記ＲＦＩＤタグを取り付けたことを特徴とする。
【発明の効果】
【００１３】
本発明によれば、ＲＦＩＤタグ又はＲＦＩＤタグクミを外力や工具の振動等により故障しないハウジングの近傍に配置にしたため、ＲＦＩＤタグに製造工場、製造年月日、機種名、販売店等の基本的情報並びに保守等の物流情報を記憶させて販売保守情報管理等を行うことができる。
【発明を実施するための最良の形態】
【００１４】
以下に本発明の実施の携帯を添付図面に基づいて説明する。
【００１５】
＜実施の形態１＞
図１は本発明の実施の形態１に係るインパクトドライバの一部縦断側面図である。
【００１６】
図１に示すインパクトドライバにおいては、工具本体１を形成するハウジング２に内装されたモータ３の回転動力は、打撃機構部４を介して先端工具把持部５に伝達され、この先端工具把持部５に装着された不図示の先端工具を回転駆動して所要のねじ締め及びボルト締めが行われる。ここで、スイッチ６によって、モータ３への電力供給が操作される。
【００１７】
又、ハウジング２の近傍には、ＲＦＩＤタグ７或はＲＦＩＤタグクミ８が配置されているる。ここで、図２に本発明において用いられるＲＦＩＤタグ７の上面図を示すが、ＲＦＩＤタグ７においては、紙、或はポリエステル等の基板７ａに、カーボンインキ等の導電性インキを使用して一対のアンテナ７ｂ，７ｂ’が印刷されている。そして、アンテナ７ｂ，７ｂ’間にはＩＣチップ７ｃが配置され、これらは電気的に接続されており、ＲＦＩＤタグ７は、一定周波数の電波を送受信することができる。
【００１８】
図３に本発明において用いられるＲＦＩＤタグクミ８の断面図を示す。ＲＦＩＤタグクミ８は、ＲＦＩＤタグ７を外装材８ａで外装して構成されており、外装材８ａは樹脂モールド材、弾性体等で構成されている。ここで、ＲＦＩＤタグクミ８は、ＲＦＩＤタグ７に比べて外形寸法が大きくなる反面、塵埃や外力、振動等に対して有利である。このＲＦＩＤダグクミ８の配置場所としては、振動が大きい打撃機構部４及び先端工具把持部５を避けたモータ３周りやスイッチ６周りのハウジング２の近傍が好ましい。
【００１９】
次に、ＲＦＩＤタグ７、ＲＦＩＤタグクミ８のハウジング２への固定方法を図４〜図８に示す。
【００２０】
図４（ａ），（ｂ）はＲＦＩＤタグ７、ＲＦＩＤタグクミ８をハウジング２の内側に配置する第１の固定方法を示す。ＲＦＩＤタグ７、ＲＦＩＤタグクミ８の何れも接着剤にて直接貼着するか、不図示の押え板で押えてねじ止め等で取り付ける。
【００２１】
図５（ａ），（ｂ）はハウジング２の内側に形成された凹部のエリアにＲＦＩＤタグ７、ＲＦＩＤタグクミ８を配置する第２の固定方法を示す。この方法においても、ＲＦＩＤタグ７、ＲＦＩＤタグクミ８の何れも接着剤にて直接貼着するか、不図示の押え板で押えてねじ止め等で取り付ける。
【００２２】
図６（ａ），（ｂ）はハウジング２の内側に凹部を形成する代わりにリブ９を設け、このリブ９が設けられたエリアにＲＦＩＤタグ７、ＲＦＩＤタグクミ８を配置する第３の固定方法を示す。この方法においても、ＲＦＩＤタグ７、ＲＦＩＤタグクミ８の何れも接着剤にて直接貼着するか、不図示の押え板で押えてねじ止め等で取り付ける。又、ハウジング２が二つ割の場合、ＲＦＩＤタグ７はハウジング２の片方或は両方にリブ等を立てることにより固定される。
【００２３】
図７（ａ），（ｂ）はハウジング２の内側に挿入箇所を設け、この挿入箇所にＲＦＩＤタグ７、ＲＦＩＤタグクミ８を設ける第４の固定方法を示す。
【００２４】
図８はハウジング２の外側に形成された凹部のエリアにＲＦＩＤタグクミ８を配置する第５の固定方法を示す。この場合、外観を考慮すると同時に異常な外力に対応するため、銘板等を兼ねた押え板１０を配置する。
【００２５】
而して、本実施の形態によれば、ＲＦＩＤタグ７又はＲＦＩＤタグクミ８を外力や工具の振動等により故障しないハウジングの近傍に配置にしたため、ＲＦＩＤタグ７に製造工場、製造年月日、機種名、販売店等の基本的情報並びに保守等の物流情報を記憶させて販売保守情報管理等を行うことができる。
【００２６】
＜実施の形態２＞
次に、本発明の実施の形態２を図９に基づいて説明する。
【００２７】
図９は本発明の実施の形態２に係るコードレスドライバドリルの一部縦断側面図である。
【００２８】
図１に示すインパクトドライバにおいては、コードレス工具本体１１を形成するハウジング１２に内装されたモータ１３の回転動力は、動力伝達部である減速機構部１４を介して先端工具把持部１５に伝達され、この先端工具把持部１５に装着された不図示の先端工具を回転駆動して所要のねじ締め及び穴あけが行われる。ここで、スイッチ１６は、ニッケルカドミウム電池或はニッケル水素電池等の蓄電池１７からモータ１３への電力供給を操作する。ＲＦＩＤタグ７、ＲＦＩＤタグクミ８の固定に関しては前記実施の形態と同様である。
【００２９】
而して、本実施の形態においても、前記実施の形態１と同様の効果が得られる。
【図面の簡単な説明】
【００３０】
【図１】本発明の実施の形態１に係るインパクトドライバの一部縦断側面図である。
【図２】本発明において用いられるＲＦＩＤタグの上面図である。
【図３】本発明において用いられるＲＦＩＤタグクミ８の断面図である。
【図４】（ａ），（ｂ）はＲＦＩＤタグ、ＲＦＩＤタグクミをハウジングの内側に配置する第１の固定方法を示す断面図である。
【図５】（ａ），（ｂ）はハウジングの内側に形成された凹部エリアにＲＦＩＤタグ、ＲＦＩＤタグクミを配置する第２の固定方法を示す断面図である。
【図６】（ａ），（ｂ）はハウジングの内側に凹部を形成する代わりにリブを設けたエリアにＲＦＩＤタグ、ＲＦＩＤタグクミを配置する第３の固定方法を示す断面図である。
【図７】（ａ），（ｂ）はハウジングの内側に設けられた挿入箇所にＲＦＩＤタグ、ＲＦＩＤタグクミを配置する第４の固定方法を示す断面図である。
【図８】ハウジングの外側に形成された凹部エリアにＲＦＩＤタグクミを配置する第５の固定方法を示す断面図である。
【図９】本発明の実施の形態２に係るコードレスドライバドリルの一部縦断側面図である。
【符号の説明】
【００３１】
１，１１  工具本体
２，１２  ハウジング
３，１３  モータ
４，１４  打撃機構部
５，１５  先端工具把持部
６，１６  スイッチ
７  ＲＦＩＤタグ
８  ＲＦＩＤタグクミ
９  リブ
１０  押え板
１７  蓄電池
【図１】
2006142402.tif 000003
【図２】
2006142402.tif 000004
【図３】
2006142402.tif 000005
【図４】
2006142402.tif 000006
【図５】
2006142402.tif 000007
【図６】
2006142402.tif 000008
【図７】
2006142402.tif 000009
【図８】
2006142402.tif 000010
【図９】
2006142402.tif 000011